【手続補正書】
【提出日】平成17年4月6日(2005.4.6)
【手続補正１】
【補正対象書類名】明細書
【補正対象項目名】発明の名称
【補正方法】変更
【補正の内容】
【発明の名称】画像圧縮方法及び記憶媒体
【手続補正２】
【補正対象書類名】明細書
【補正対象項目名】特許請求の範囲
【補正方法】変更
【補正の内容】
【特許請求の範囲】
【請求項１】
サムネイル画像を、それより大きなカラーデジタル画像を表す圧縮フォーマットのビットストリーム中に提供する画像圧縮方法であって、
前記カラーデジタル画像を、ＤＣサブバンドと１つまたは２つ以上の高周波数サブバンドとへ分解する変換ステップと、
非圧縮フォーマットの前記ＤＣサブバンドをサムネイル画像のデータとしてビットストリーム内に提供する出力ステップと、
前記１つまたは２つ以上の高周波数サブバンドの少なくとも１つを符号化して、前記ビットストリーム内へ提供する符号化ステップとを備えることを特徴とする画像圧縮方法。
【請求項２】
前記カラーデジタル画像の入力色値を、第１の色フォーマットから、輝度、クロミナンス青、クロミナンス赤（ＹＣｂＣｒ）色フォーマットの対応値へと変換する色フォーマット変換ステップを含むことを特徴とする請求項１に記載の画像圧縮方法。
【請求項３】
前記変換ステップでの変換は非整数ディスクリート・ウェーブレット変換であることを特徴とする請求項１に記載の画像圧縮方法。
【請求項４】
前記非圧縮フォーマットがグレースケール生ビットマップ画像フォーマットを含むことを特徴とする請求項１に記載の画像圧縮方法。
【請求項５】
前記第１の色フォーマットが赤、緑、青（ＲＧＢ）生ビットマップ画像フォーマットを含むことを特徴とする請求項２に記載の画像圧縮方法。
【請求項６】
前記第１の色フォーマットがシアン、マゼンタ、イエロー（ＣＭＹ）生ビットマップ画像フォーマットを含むことを特徴とする請求項２に記載の画像圧縮方法。
【請求項７】
前記クロミナンス青とクロミナンス赤の値がサブサンプリングされることを特徴とする請求項１に記載の画像圧縮方法。
【請求項８】
前記非圧縮フォーマットはＹＣｂＣｒ色フォーマットであって、前記ＤＣサブバンドは前記ビットストリームから抽出されると前記サムネイルの表示の為の前記第１色フォーマットに変換されることを特徴とする請求項２記載の画像圧縮方法。
【請求項９】
原色の赤、緑、青（ＲＧＢ）フォーマットで表現された画素を含むデジタル画像を圧縮する方法であって、
前記画素の赤、緑、青の成分を、前記ＲＧＢフォーマットから輝度、クロミナンス青、クロミナンス赤（ＹＣｂＣｒ）成分フォーマットに変換する色フォーマット変換ステップと、
非整数処理を用いて前記デジタル画像の前記画素のＹＣｂＣｒ各成分をＤＣサブバンドと複数の高周波数サブバンドに分解する分解ステップと、
実質的に非圧縮生ビットマップ画像として各成分について前記ＤＣサブバンドをビットストリームに符号化するＤＣサブバンド符号化ステップと、
圧縮ビットマップ画像として前記複数の高周波数サブバンドを前記ビットストリームへ符号化する高周波数サブバンド符号化ステップと
を含むことを特徴とする画像圧縮方法。
【請求項１０】
請求項１に記載の方法を実行するプログラムを記憶した、コンピュータ読み取り可能な記憶媒体。
【請求項１１】
請求項９に記載の方法を実行するプログラムを記憶した、コンピュータ読み取り可能な記憶媒体。
【手続補正３】
【補正対象書類名】明細書
【補正対象項目名】０００８
【補正方法】変更
【補正の内容】
【０００８】
【課題を解決するための手段】
上記目的を達成するために本発明にあっては、
サムネイル画像を、それより大きなカラーデジタル画像を表す圧縮フォーマットのビットストリーム中に提供する画像圧縮方法であって、
前記カラーデジタル画像を、ＤＣサブバンドと１つまたは２つ以上の高周波数サブバンドとへ分解する変換ステップと、
非圧縮フォーマットの前記ＤＣサブバンドをサムネイル画像のデータとしてビットストリーム内に提供する出力ステップと、
前記１つまたは２つ以上の高周波数サブバンドの少なくとも１つを符号化して、前記ビットストリーム内へ提供する符号化ステップとを備えることを特徴とする。


【手続補正４】
【補正対象書類名】明細書
【補正対象項目名】０００９
【補正方法】変更
【補正の内容】
【０００９】
ここで、前記カラーデジタル画像の入力色値を、第１の色フォーマットから、輝度、クロミナンス青、クロミナンス赤（ＹＣｂＣｒ）色フォーマットの対応値へと変換する色フォーマット変換ステップを含むことは好適である。また、前記変換ステップでの変換は非整数ディスクリート・ウェーブレット変換であることも好適である。


【手続補正５】
【補正対象書類名】明細書
【補正対象項目名】００１０
【補正方法】削除
【補正の内容】
【手続補正６】
【補正対象書類名】明細書
【補正対象項目名】００１８
【補正方法】変更
【補正の内容】
【００１８】
上記目的を達成するために、上記プログラムを記憶したコンピュータ読み取り可能な記憶媒体を提供することも好適である。


【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】